Podtech/llm-jp-corpus-v4-ja_patent huggingface dataset:
(57)【要約】      （修正有）【課題】急ブレーキであることを、後続車輌に表示するために、ブレーキペダルの踏み込み圧力を検出して、減速か急ブレーキかを区分して表示できる緊急表示板を提供する。【解決手段】ブレーキマスターシリンダーの配列に圧力トランスミッタを接続し、その回線の次段にデジタル指針計を接続し、各車種により圧力が違うのでデジタル指針計で調整をする。調整された圧力によってデジタル指針計制御により、車輌の後方に取り付けた非常点滅器に、止まる・急ブレーキの点滅をさせる。また、方向指示器と連動して、右にまがる・左にまがる、の点滅もさせる。さらには、気象庁からの緊急地震発生指令により、各拠点基地からデジタル信号で震源地付近の車輌の表示板に地震発生の点滅をさせても良い。【選択図】図１
0003168893.tif 000002
【実用新案登録請求の範囲】
【請求項１】
ブレーキマスターシリンダーの配列に圧力トランスミッタを接続し、その回線の次段にデジタル指針計を接続する。各車種により圧力が違うので、デジタル指示計で調節をし、調整された圧力によりデジタル指示計制御により、車輌の後方に取り付けた緊急表示板に、低圧力時には［止まる］、高圧力時には［急ブレーキ］の表示をさせる。また、方向指示器と連動して、［右にまがる・左にまがる］の表示も出来、さらに受信機をつける事により緊急表示板に［地震発生］や［避難勧告］なども表示させるものである。
【考案の詳細な説明】
【技術分野】
【０００１】
この発明は、交通事故を減少させるための防止装置に関する。
【背景技術】
【０００２】
現在、運転者が車輌の運転中にブレーキを踏むと後続車輌は前車の尾灯の点灯を見てブレーキを踏み始め、停車の準備にかかり、停車する。そのため前車が何だかの理由で急ブレーキを踏んでも尾灯が点灯するだけで、減速なのか急ブレーキなのか後続車輌にはわからず、前車の挙動を見て初めて急ブレーキだと気づきブレーキを強く踏む。その為、間に合わずに追突及び急停車にて交通事故が多発している。また地震発生時に、ラジオ・ＴＶ等メディアによる緊急地震発生速報が出て、津波やトンネルの崩壊等による避難勧告が出ていても気づかずに走行し、災害事故等に巻き込まれる可能性が高い。
【考案の開示】
【考案が解決しようとする課題】
【０００３】
しかしながら、従来の技術によれば、前車に何だかの理由で急ブレーキをかけても後続車輌にはすぐに判断しにくく、交通事故等の発生率が非常に高い。そこで後続車両にもすぐに判断しやすく回避する為にも、この緊急表示板を付ける事によって早めに急ブレーキをかけられ、その時の制動距離が短くなり、事故率の減少にもなる。また、方向指示からの電気信号で、右にまがる・左にまがる、とも表示させ、子供たちにも字が読めて注意を促せ、交通事故対策にもなる。
そこでこの発明は、本装置を装着することにより災害事故や交通事故等の防止につながる緊急表示板を提供することを課題とする。
【課題を解決するための手段】
【０００４】
以上の課題を解決するためには、車輌のブレーキペダルを踏んだとき低圧時には、止まるの表示をさせる。そして高圧出力時には、急ブレーキと表示させる。また、方向指示器と連動させ、右にまがる・左にまがると表示させる事も出来る。さらに気象庁からの緊急地震速報が発令され、避難勧告が出た拠点基地からの災害情報等を表示する。そのため、後続車や周囲に見やすい位置に本装置を取り付ける。
【考案の効果】
【０００５】
上記の発明によれば、点灯した文字の表示により、周囲の交通事故率や災害事故等に巻き込まれるのを減少させる事が出来る。
【考案を実施するための最良の形態】
【０００６】
ブレーキペダルを踏むと油圧シリンダー内の圧力が上がる、その圧力を圧力トランスミッタで検出した電気信号を直流電圧出力として伝送し、デジタル表示計により低圧力時には［止まる］、高圧力時には［急ブレーキ］と設定された電気信号を送り、緊急表示板を点灯させる。さらに方向指示器からの電気信号により、［右にまがる］・［左にまがる］と点灯させる。また、受信装置を付ける事により気象庁からの緊急地震速報等を受信し、緊急表示板に表示する事も出来る。
この発明の一実施形態を、図１に示す。
【図面の簡単な説明】
【０００７】
【図１】全体図：取り付けと表示例である。
【図２】配線図：デジタル指示計と受信機の結線図である。
【図１】
0003168893.tif 000003
【図２】
0003168893.tif 000004
【手続補正書】
【提出日】平成23年3月30日(2011.3.30)
【手続補正１】
【補正対象書類名】実用新案登録請求の範囲
【補正対象項目名】全文
【補正方法】変更
【補正の内容】
【実用新案登録請求の範囲】
【請求項１】
ブレーキマスターシリンダーの配列に圧力トランスミッタを接続し、その回線の次段にデジタル指針計を接続し、各車種により異なる圧力をデジタル指針計で調整し、調整された圧力によりデジタル指針制御により、車輌の後方に取り付けた緊急表示板に、低圧力時には〔止まる〕、高圧力時には〔急ブレーキ〕の表示をし、又、方向指示器と連動して〔右にまがる・左にまがる〕の表示をし、変速機を後退ギヤに入れると〔バックする〕の表示をし、さらに受信機を有する事により緊急表示板に〔地震発生〕や〔非難勧告〕なども表示させる事を特徴とする緊急表示板。
(57)【要約】      （修正有）【課題】複数のワークに対応した爪を有し、対応するワーク把持の段取りが容易にでき、段取り時間の短縮が図れる旋盤加工用チャックを提供する。【解決手段】複数の爪を有するプラス形状の回転爪３を、スペーサー２を介して土台１に固定する。このプラス形状の回転爪３はスペーサー２に１本のボルトで締結されており、このボルトを緩め、回転爪を回転させワークに対応した爪を選択する。【選択図】図１
0003170998.tif 000002
【実用新案登録請求の範囲】
【請求項１】
１本のボルトで締結及び緩めることにより複数の爪を有する回転爪を回転させ複数のワーク把持段取りが可能なチャック装置。
【請求項２】
複数の爪を有する回転爪を装着可能とするスペーサー。
【考案の詳細な説明】
【技術分野】
【０００１】  本項案は、異なるワークに対応したチャック爪に関するものである。
【背景技術】
【０００２】  旋盤加工において、異なるワークに対しそれぞれに対応したチャックを準備する必要があり、異なるワークを加工する場合は、チャック爪を交換する必要があり、段取り時間がかかっていた。
【先行技術文献】
【特許文献】
【０００３】
【特許文献１】  実開平５−３７４０８  公報
【特許文献２】  特開平１０−１００００７  公報
【考案の概要】
【考案が解決しようとする課題】
【０００４】  異なるワークの旋盤加工においては、それぞれのワークに対応したチャック爪を準備する必要があり、その準備方法は複雑な構造でありかつ経済的にも負担が大きい。
従って、それぞれのワークに対応したチャック爪を統合し、かつチャック爪の交換を簡単にするすることにより、段取り時間の短縮化を解決しようとするものである。
【課題を解決するための手段】
【０００５】  プラス形状のチャックに複数のワークに対応した爪形状を具備させる。旋盤には、土台とスペーサーが固定されており、このチャック爪は１本のボルトでスペーサーに固定されている。従って、異なるワークの段取りは、このボルトを緩め、プラス形状のチャック爪を回転させることにより対応するワークを把持する。
【考案の効果】
【０００６】  １本のボルトを緩めチャック爪を回転させ複数のワーク把持が出来るため、段取り時間短縮の効果がある。
【図面の簡単な説明】
【０００６】
【図１】本考案の回転爪を取り付けた斜視図
【図２】回転爪一部切欠組立図
【図３】回転爪平面図及び側面図
【考案を実施するための形態】
【０００７】  土台にスペーサーを固定し、チャック本体に土台及びスペーサーを取り付ける。チャック爪を該当のワークに合わせボルトで固定する。ワークを交換する場合は、ボルトを緩め、チャック爪を回転させ交換するワークに合わせ把持する。
【実施例】
【０００８】  以下、添付図面に従って一実施例を示す。１ａは既存の土台を一部改修したもので６ボルトで１ｂを固定し、１土台を１０チャック本体に取り付ける。２スペーサーを５ボルト土台に固定する。ワークの形状に合わせ３回転爪を２スペーサーのキー溝に勘合させ、４ボルトで固定する。
ワークを交換する時は、４ボルトを緩め２スペーサーのキー溝から回転爪を外し、交換されるワークに合った把持面を回転させ同要領で回転爪を固定する。
【符号の説明】
【０００９】  １  土台
１ａ  土台
１ｂ  土台チャック金具キー
２  スペーサー
３  回転爪
３ａ、３ｂ、３ｃ、３ｄ  把持面
４  ボルト
５  ボルト
６  ボルト
１０  チャック本体
【図１】
0003170998.tif 000003
【図２】
0003170998.tif 000004
【図３】
0003170998.tif 000005
【手続補正書】
【提出日】平成23年7月20日(2011.7.20)
【手続補正１】
【補正対象書類名】実用新案登録請求の範囲
【補正対象項目名】全文
【補正方法】変更
【補正の内容】
【実用新案登録請求の範囲】
【請求項１】
旋盤加工でのチャック爪に関し、旋盤に固定された土台、土台に固定されたスペーサー及び複数の爪を有する回転爪から構成され、一本のボルトでスペーサーに回転爪を装着することが可能な構造で、当該ボルトを緩めることにより対応するワーク把持面を選択ができ、容易に段取りが可能なチャック装置。
【請求項２】
複数の爪を有する回転爪を装着可能とするスペーサーを備えたことを特徴とする請求項１記載のチャック装置。
(57)【要約】      （修正有）【課題】運動中、首や肩から脱落せず、随時汗ふきに活用でき始末不要で、動きの妨げにならないタオルを提供する。【解決手段】捻ったタオルの両端を縫製する。【選択図】図１
0003170997.tif 000002
【実用新案登録請求の範囲】
【請求項１】
捻じたタオルをエンドレスに加工した、首に掛けるタオル。
【考案の詳細な説明】
【技術分野】
【０００１】  ウオーキング、ランニング、フィトネス等運動中、首や肩に掛けたタオルが脱落しない、又、動きの妨げにならない、顔拭きタオルが目的。
【背景技術】
【０００２】  運動中首や肩に掛けたタオルが脱落しないよう、その両端を結んだり、巻きつけたり、襟に差し込んだりしている、使用の後はその都度脱落を防ぐため元に戻す必要があった。
【考案の概要】
【考案が解決しようとする課題】
【０００３】  激しい動きにも脱落することなく、随時顔拭き等に使用でき、扱い易い形体のタオルが課題であった。
【課題を解決するための手段】
【０００４】  タオルを両端の無いエンドレス状にした、これを首に掛けることで脱落しない、又、捻じりタオルにすることで、布状から棒状に纏まるので嵩張らない。
【考案の効果】
【０００５】  運動中随時使用できて、脱落せず、運動の妨げが少ない
【図面の簡単な説明】
【０００６】
【図１】タオルの姿図である。
【図１】
0003170997.tif 000003
【手続補正書】
【提出日】平成23年7月19日(2011.7.19)
【手続補正１】
【補正対象書類名】実用新案登録請求の範囲
【補正対象項目名】全文
【補正方法】変更
【補正の内容】
【実用新案登録請求の範囲】
【請求項１】
捻ったタオルの両端を縫製しエンドレス状にしたタオル
【手続補正２】
【補正対象書類名】明細書
【補正対象項目名】０００４
【補正方法】変更
【補正の内容】
【０００４】  タオルの両端を縫製してエンドレス状にした、これを首に掛けることで脱落しない、又、捻りタオルにしたことで布が棒状になり不用にひろがらず扱いやすい、
(57)【要約】【課題】鉄製品を研磨するのに、少量の力で汚れを落とすことができ、素手で取り扱っても手を傷めないようにする。また、研磨力が落ちても洗浄部を交換することで研磨力を落とさないようにする。【解決手段】洗浄部に研磨シートを設置して研磨力を高め、取っ手をつけることにより力をいれやすく、素手で力を入れても傷めないようにした。また、洗浄部と持ち手部を分離できるようにした為、洗浄部が古くなり研磨力が落ちても、洗浄部を新しいものと交換すれば、研磨力を維持できるようにした。【選択図】図２
0003170995.tif 000002
【実用新案登録請求の範囲】
【請求項１】
研磨シートを使用した取っ手型の洗浄具
【請求項２】
洗浄部と持ち手部が分離するセパレート型の洗浄具
【考案の詳細な説明】
【背景技術】
【０００１】
研磨シートは鉄製品に対して優れた洗浄性をもち一般家庭において広く使用されている。
【考案の概要】
【考案が解決しようとする課題】
【０００２】
研磨シート状のたわしでは手による使用を想定されて力を入れずらく、洗浄に劣っていることと、中央部と端部に力が入りやすい為、使用部が偏り、全ての洗浄部を使用することができない。
【課題を解決するための手段】
【０００３】
本考案は、木材又は樹脂からなる取っ手に研磨シートを配置した洗浄具において、前記丸みを帯びた取っ手は結合部を介して、洗浄部と結合し、洗浄部は研磨シートのタワシで覆う。
結合部は前後に動作し着脱でき、取っ手を中央から貫通した固定部によって固定をし、これによって上記課題を解決するものである。
【考案の効果】
【０００４】
本考案に係わるカートリッジ式鉄鍋磨きは、研磨シートに取っ手をつけることにより、素手によるステンレス製たわしの使用より、力を入れることができ鉄製品を研磨するにあたりより効果的に研磨することができ、洗浄部を着脱できることにより磨耗した洗浄部から新しい洗浄部へ変更することにより、使用者が効果的に鉄製品を研磨することができる。
【図面の簡単な説明】
【０００５】
【図１】木材または樹脂からなる洗浄具が使用可能な正面図
【図２】木材または樹脂からなる洗浄具が止め具1を上部に引き、洗浄部2を交換できる状態
【図３】木材または樹脂からなる洗浄具の側面図の断面図
【図４】木材または樹脂からなる洗浄具の持ち手部と洗浄部が分離している状態
【考案を実施するための形態】
【０００６】
図1に示す如く本考案の実施形態である木材または樹脂からなる洗浄具が使用可能であることを示す正面図である。
【０００７】
図2に示す如く、止め具1を上部に引き出すと、洗浄部2が前後に移動できるようになり、洗浄部2が外すことができる。またレール凸3とレール凹４により洗浄部２は上下には移動せず上下から外すことはできない。
【０００８】
図3に示すが如く土台5には穴６が開いており、止め具1をはめ込むことで、洗浄部2と持ち手部7を結合する。
【０００９】
止め具1は内部にバネ8があり、金具9を引っ張っていないと止め具1が自然に降りるようになっている。
【符号の説明】
【００１０】
1止め具
2洗浄部
3レール凸
4レール凹
5土台
6穴
7持ち手部
8バネ
9金具
【図１】
0003170995.tif 000003
【図２】
0003170995.tif 000004
【図３】
0003170995.tif 000005
【図４】
0003170995.tif 000006
【手続補正書】
【提出日】平成23年8月4日(2011.8.4)
【手続補正１】
【補正対象書類名】実用新案登録請求の範囲
【補正対象項目名】請求項２
【補正方法】変更
【補正の内容】
【請求項２】
洗浄部と持ち手部が分離するセパレート型を特徴とする請求項１記載の洗浄具
【手続補正２】
【補正対象書類名】実用新案登録請求の範囲
【補正対象項目名】請求項１
【補正方法】変更
【補正の内容】
【請求項１】
木材又は樹脂からなる取っ手の持ち手部と、ステンレスからなる不職布に研磨粒子を付着した研磨シートを、木材又は樹脂からなる土台に強力接着剤で付着した洗浄部を結合したことを特徴とする洗浄具
(57)【要約】      （修正有）【課題】加圧水型軽水炉の水蒸気発生器を熱交換器として予熱器に採用した火力発電所を提供する。【解決手段】予熱器（加圧水型軽水炉）８として水蒸気発生器（熱交換器）６で火力発電所９の排熱回収ボイラー７の過熱蒸気配管系１０を構成する。その構成に全廃要求原子力の安全上の欠点を小型化して克服する予熱器に採用する事による性能向上を計った火力発電所ができる。【選択図】図１
0003170928.tif 000002
【実用新案登録請求の範囲】
【請求項１】
加圧水型軽水炉の水蒸気発生器を熱交換器として予熱器に採用した火力発電所。
【請求項２】
請求項１記載の予熱器を複数個具備した事を特徴とする火力発電所。
【考案の詳細な説明】
【技術分野】
【０００１】
本考案は、従来の火力発電所に於ける原子力による予熱器付属構成に関する。
【背景技術】
【０００２】
ＬＮＧによる排熱回収ボイラーとガスタービンの火力発電所があります。
【考案の開示】
【考案が解決しようとする課題】
【０００３】
しかしながら、原子力発電所全廃要求に対して、その安全上の欠点大型を小型に克服し、長所高出力を活かす事に於ける火力発電所のボイラーに高性能化を計る異種燃料の予熱器がないという欠点に注目した。
【０００４】
本考案は、上記実情に鑑みてなされたものであり、原子力の長所を活かした予熱器対策がなされている。
【課題を解決するための手段】
【０００５】
上記目的を達成するため考案は、火力発電所のボイラーの予熱器対策として次の構成を含むことを特徴としている。
ＬＮＧによるガスタービンと排熱回収ボイラーによる発電機としている過熱蒸気配管系に加熱水型軽水炉を予熱器とした水蒸気発生器（熱交換器）で火力発電所を構成するものである。
【考案の効果】
【０００６】
本考案により、その構成に全廃要求原子力の安全上の欠点を小型化して克服する予熱器に採用する事による性能向上を計った火力発電所ができる。
【図面の簡単な説明】
【０００７】
【図１】本考案の火力発電所である。
【考案を実施するための形態】
【０００８】
本考案の実施の形態の一例について、図面を参照しながら説明する。
火力発電所は図１に示すように、炉心１、原子炉圧力容器２、原子炉格納容器３、の１次ループとして水蒸気発生器を熱交換器６、として、予熱器（加圧水型軽水炉）８、の２次ループにより火力発電所９、を構成するものである。
【符号の説明】
【０００９】
１．炉心
２．原子炉圧力容器
３．原子炉格納容器
４．ガスタービン
５．発電機
６．水蒸気発生器（熱交換器）
７．排熱回収ボイラー
８．予熱器（加圧水型軽水炉）
９．火力発電所
１０．過熱蒸気配管系
１１．復水器
【図１】
0003170928.tif 000003
(57)【要約】      （修正有）【課題】ダンボールなどを安全に正確に切断することができる切断カッターを提供する。【解決手段】ダンボール箱の切断の際、Ｌ型鋼２の内部に刃先を固定することにより、安全かつ正確に切断、半切断が可能になった。ダンボール箱の角部分を切断する際、安全に正確に切断することができる。また、ナイフの刃の調整が正確にできるので、ダンボール厚さの半切断が容易にできる。ダンボールの高さや幅を調整して、再利用する際には、定規を使用する事により、安全確実に製作できる。【選択図】図１
0003170921.tif 000002
【実用新案登録請求の範囲】
【請求項１】
Ｌ型鋼の背の部分に、カッターナイフの刃の部分が出没可能な開口を設け、同開口に前記カッターナイフ本体の一端側を取付けると共に、同カッターナイフ本体の他端側を固定板を介して、前記Ｌ型鋼に連結したことを特徴とする切断カッター。
【請求項２】
上記カッターナイフ本体に、カッターナイフの刃の突出目盛を刻設し、同カッターナイフ本体に刃出調整機構を設けたことを特徴とする請求項１に記載の切断カッター。
【考案の詳細な説明】
【技術分野】
【０００１】
ダンボールなどを安全に正確に切断することができる切断カッターに関する。
【背景技術】
【０００２】
ダンボールなどをカッターナイフを使用して直角や垂直に正確に切断する際に、カッターナイフの刃の部分をアルミ製のＬ型鋼の内側に出し入れ可能に取付けた。
【先行技術文献】
【特許文献】
【０００３】
【特許文献１】特開２００５−４６９６１号公開公報
【考案の概要】
【考案が解決しようとする課題】
【０００４】
ダンボール箱の角部分を切断する際に、直角や垂直に正確に切断する切断カッターが切望されているが、市販品は見当たらない。
【課題を解決するための手段】
【０００５】
Ｌ型鋼の背の部分に、カッターナイフの刃の部分が出没可能な開口を設け、同開口に前記カッターナイフ本体の一端側を取付けると共に、同カッターナイフ本体の他端側を、固定板を介して、前記Ｌ型鋼に連結したことを特徴とする切断カッターで、更に、カッターナイフ本体に、カッターナイフの刃の突出目盛を刻設し、同カッターナイフ本体に刃出調整機構を設けた。
Ｌ型鋼の背（以下、中央角と略称）の部分をカッターナイフの刃の部分の縦幅を貫通するように加工し、カッターナイフ本体をアルミ製のＬ型鋼の中央角の部分に固定し、ナイフの刃の部分が自由に調節できるようにした。
【考案の効果】
【０００６】
ダンボール類、例えば、ダンボール箱の角部分を切断する際、安全に正確に切断することができた。  また、ナイフの刃の調整が正確にできるので、ダンボール厚さの半切断が容易にできた。ダンボールの高さや幅を調整して、再利用する際には、定規を使用する事により、安全確実に製作できた。
【図面の簡単な説明】
【０００７】
【図１】本考案に係る一実施例を示す側面図である。
【図２】本考案に係る一実施例を示す裏面図である。
【考案を実施するための形態】
【０００８】
本考案に係る一実施例を、図１を参照して以下説明する。
【実施例】
【０００９】
図１に図示するごとく本実施例では、Ｌ型鋼２の背の部分に、カッターナイフ本体の刃１aの部分が出没可能な開口２aを設け、同開口２aに前記カッターナイフ本体の一端側を取付けると共に、同カッターナイフ本体１の他端側を、固定板３を介して、Ｌ型鋼２に連結した。Ｌ型鋼２とカッターナイフ本体１は固定用ボンド４で接着固定した。更に、固定板３を用い、六角ボルト５で、カッターナイフ本体１の他端側と、Ｌ型鋼２を固定して、強度を確実にした。カッターナイフ本体１に、カッターナイフの刃１aの突出目盛６を刻設し、同カッターナイフ本体１に刃出調整機構７、例えば、蝶ナットの締込み調整による刃出調整機構を設けた。 図２に図示する如く、本実施例では、カッターナイフの刃１aが、Ｌ型鋼２の内側に配置され、切断時に安全で、カッターナイフの刃１a、自体がＬ型鋼２の内側に出し入れ可能で切断の深さが調整でき半切断が容易にできた。
【産業上の利用可能性】
【００１０】
本考案の切断カッターでは、ダンボール類を単に切断できるのみならず、被切断物を再利用する際、被切断物（ダンボール箱など）の高さや幅を調整して、安全正確に切断、半切断ができる。また、本考案の切断カッターは、ダンボールのみならず、プラスチックフィルムや発泡スチロールなどの切断に利用できる。
【符号の説明】
【００１１】
１    カッターナイフ本体
１a   カッターナイフの刃
２    Ｌ型鋼
２a   Ｌ型鋼に設けた開口
３    固定板
４    固定用ボンド
５    六角ボルト
６    カッターナイフの刃の突出目盛
７    カッターナイフ本体に取付けた刃出調整機構
【図１】
0003170921.tif 000003
【図２】
0003170921.tif 000004
(57)【要約】      （修正有）【課題】息をはくだけで、ほうれい線しわを防止し、しわをできにくくする美顔器を供する。【解決手段】ほうれい線しわ防止美顔器は、六角鉛筆の形をしていて、材質をプラスチック樹脂又は、金属製にし、内側を空洞にする。この美顔器は、指先でつかみ、息をはくことにより、ほほをふくらませて訓練することにより、ほうれい線を防止し、しわをできにくきうすることができる。【選択図】図６
0003170979.tif 000002
【実用新案登録請求の範囲】
【請求項１】
１、材質をプラスチック樹脂製又は金属製とする。
２、外形は六角鉛筆の形にし内側を空洞にし細先穴を通す
【考案の詳細な説明】
Ａ、この考案は鉛筆又はボールペン先の形をしていて材質をプラスチック樹脂製又は金属製とする  内側は空洞の筒にする
Ｂ  この考案はほうれい線しわ防止美顔器を指先でつかみ口にくわえて息をはくことによりほほをふくらまかせ訓練することによりほうれい線しわを防止し、しわをできにくくすることができる器具である
【図面の簡単な説明】図面１、第１図は平面図    第２図は正面図
第３図は左側面図  第４図は右側面図
第５図は斜視図    第６図はほうれい線しわ防止美顔器を口でくわえている図
図面１、
▲１▼は形を鉛筆先又はボールペン先の形にする
▲２▼は外面を６角形とする  ▲３▼は内側を空洞の筒で丸くする
▲４▼は先の穴
【図１】
0003170979.tif 000003
【図４】
0003170979.tif 000004
【図５】
0003170979.tif 000005
【図６】
0003170979.tif 000006
【手続補正書】
【提出日】平成23年5月16日(2011.5.16)
【手続補正１】
【補正対象書類名】実用新案登録請求の範囲
【補正対象項目名】全文
【補正方法】変更
【補正の内容】
【実用新案登録請求の範囲】
【請求項１】
１、材質をプラスチック樹脂又は、金属製とする。２、外形は六角鉛筆の形にし  内側を容洞にし  細先穴を通す。
【手続補正２】
【補正対象書類名】明細書
【補正対象項目名】全文
【補正方法】変更
【補正の内容】
【考案の詳細な説明】
【０００１】１、この考案は、鉛筆又は、ボールペン先の形をしていて材質をプラスチック樹脂製又は、金属製とする。内側は空洞の筒にする。２、この考案は、ほうれい線防止美顔器は、指先でつかみ、口にくわえて、息をはくことにより、ほほをふくらませ訓練することにより、ほうれい線しわ防止し、しわをできにくくすることができる美顔器である。
【図面の簡単な説明】
【０００２】
【図１】は  平面図
【図２】は  正面図
【図３】は  左側面図
【図４】は  右側面図
【図５】は  斜視図
【図６】は  ほうれい線しわ防止美顔器を口でくわえている図
【符号の説明】
【０００３】１、形を鉛筆先又はボールペン先の形にする。２、外面を６角形とする。３、内側を空洞の筒で丸くする。４、先の穴
【手続補正３】
【補正対象書類名】図面
【補正対象項目名】図１
【補正方法】変更
【補正の内容】
【図１】
0003170979.tif 000007
【手続補正４】
【補正対象書類名】図面
【補正対象項目名】図２
【補正方法】変更
【補正の内容】
【図２】
0003170979.tif 000008
【手続補正５】
【補正対象書類名】図面
【補正対象項目名】図３
【補正方法】変更
【補正の内容】
【図３】
0003170979.tif 000009
【手続補正６】
【補正対象書類名】図面
【補正対象項目名】図４
【補正方法】変更
【補正の内容】
【図４】
0003170979.tif 000010
【手続補正７】
【補正対象書類名】図面
【補正対象項目名】図５
【補正方法】変更
【補正の内容】
【図５】
0003170979.tif 000011
【手続補正書】
【提出日】平成23年7月15日(2011.7.15)
【手続補正１】
【補正対象書類名】実用新案登録請求の範囲
【補正対象項目名】全文
【補正方法】変更
【補正の内容】
【実用新案登録請求の範囲】
【請求項１】
材質をプラスチック樹脂製又は、金属製で外側が六角鉛筆の形のほうれい線しわ防止美顔器であって、その内側が空洞であることを特徴とするほうれい線しわ防止美顔器。
(57)【要約】      （修正有）【課題】各種飲料容器や哺乳瓶等の温度を保温または保冷状態で一定に維持させる機能をもち、衛生的に使用続けることを可能にした包装体を提供する。【解決手段】外包、内包を着脱式とすることにより、外包の洗濯、内包の洗浄を可能にした。外包は布地、内包はアルミ箔が貼着された素材からなる。飲料を保温し、保冷維持飲用を可能とし、食料を保温して、保冷維持食用を可能にしている。【選択図】図１
0003170980.tif 000002
【実用新案登録請求の範囲】
【請求項１】
容器を収納する包装体において、外包、内包で構成され、外包、内包が着脱可能になっており、また、洗濯、洗浄が可能になっていることが特徴とした飲料、飲食用容器の保温保冷包装体。
【請求項２】
前記包装体の内包部分はアルミ箔の断熱構造としたことを特徴とする請求項１記載の飲料、飲食用容器の包装体。
【考案の詳細な説明】
【考案の詳細な説明】
【技術分野】
【０００１】  本考案は、各種飲料容器や哺乳瓶等の温度を保温または保冷状態で一定に維持させる機能をもち、衛生的に使用続けることを可能にした包装体に関する。また、飲料だけでなく、お弁当等の飲食用容器の温度を保温状態で一定に維持させる機能をもち、衛生的に使用続けることを可能にした包装体に関することでもある。
【背景技術】
【０００２】  従来より販売用の飲料用容器としてペットボトルが使用されている。また、幼児に対しては哺乳瓶ような容器が使用されている。ペットボトルはＰＥＴ等の透明な合成樹脂で製造されている。また、哺乳瓶はガラス等の素材で製造されている。共に冷蔵庫等の保管等に適した断熱構造になっており、胴部を有している。【０００３】
【特許文献１】特開２００２−３０８２８０号
【特許文献２】特開２００８−２６０５７１号  これに対して、ユーザーがこのようなペットボトルや哺乳瓶を開口部から挿入することで収納し、これを持ち運ぶ巾着型の包装体や保冷具などが知られているが、最近では、更に特開２００２−３０８２８０号や特開２００８−２６０５７１号等に開示されている通り、衣服のように包装体を形成し、人型の外観を呈するデザイン的な保冷具等が開発されている。【０００４】上記のように飲料などに対する保温、保冷という機能を持ち合わせた包装体は存在している。今回、飲食容器やお弁当箱等の温度を保温または保冷という機能を着脱式で持ち合わせたものは存在していない。
【考案の概要】
【考案が解決しようとする課題】
【０００５】  本考案は、各種飲料容器や哺乳瓶等、飲食容器やお弁当箱等の温度を保温または保冷状態で一定に維持させる包装体である。【０００６】  従来包装体の外包（符号１、２、３で成り立つ）を洗濯することが不可能な状態であったことを解消し、洗濯ができるものである。【０００７】  内包（符号５、６で成り立つ）は洗浄可能にした保温、保冷の包装体である。
【課題を解決するための手段】
【０００８】  本考案は前記課題を達成するために、符号４を用いて着脱式にし、外包は布地、内包はアルミ箔が貼着された素材からなることを要旨としている。
【考案の効果】
【０００９】  外包と内包を着脱式にすることにより、外包は洗濯可能にし、内包は洗浄可能にし、衛生的に包装体を使える。飲料を保温、保冷維持飲用、食料を保温、保冷維持食用を可能にしている。
【図面の簡単な説明】
【００１０】
【図１】本考案の包装体の第一実施例の開放状態の説明図である。
【図２】本考案の第一実施例の外観を示す立体図である。
【図３】本考案の包装体の第一実施例を示した断面図である。
【図４】本考案の包装体の第二実施例の開放状態の説明図である。
【図５】本考案の第二実施例の外観を示す立体図である。
【図６】本考案の包装体の第二実施例を示した断面図である。
【考案を実施するための形態】
【００１１】  以下に本考案の保温保冷兼用の容器包装体（以下「包装体」という）の実施形態を図面に基づいて詳細に説明する。
図２、図５は断面図で、１は素材として布地を用い、２、３と共に外包みを形成している。５と６からなる内包は、外気温度から遮断することの役割を果たし、保温、保冷の機能を有することが出来る。４のボタンを使用することで、外包、内包を分離でき、外包の洗濯、内包の洗浄を可能にした。
【実施例】
【００１２】  以下、添付図面に従って実施例を説明する。図１、図４は本考案である包装体を開放状態にした説明図である。図２、図５は本考案である包装体の外観を示す立体図である。図３、図６は、断面線７で切断した際の断面図である。
【産業上の利用可能性】
【００１３】  本考案は外包、内包を分離することにより、不衛生であった包装体を衛生にすることにより、全ての人に対し衛生的な包装体の使用を促進させる事と食中毒などの問題発生の軽減に貢献するものである。
【符号の説明】
【００１４】１表生地
２テープ
３（面）ファスナー
４ボタン
５アルミ素材
６裏生地
７断面線
【図１】
0003170980.tif 000003
【図２】
0003170980.tif 000004
【図３】
0003170980.tif 000005
【図４】
0003170980.tif 000006
【図５】
0003170980.tif 000007
【図６】
0003170980.tif 000008
【手続補正書】
【提出日】平成23年7月4日(2011.7.4)
【手続補正１】
【補正対象書類名】実用新案登録請求の範囲
【補正対象項目名】請求項１
【補正方法】変更
【補正の内容】
【請求項１】
容器を収納する包装体において、外包、内包、ボタンで構成され、ボタンにより外包、内包を固定し、外包、内包が着脱可能になっており、また、洗濯、洗浄が可能になっていることが特徴とした飲料、飲食用容器の保温保冷包装体。
(57)【要約】      （修正有）【課題】貯水池中で物体を浮上させて、滑車などを利用してさらに高位置に物体を揚げ、次に物体を移動させて落下させ発電する発電装置を提供する。【解決手段】貯水池と前記貯水池の下部外側取り付けられ開閉可能なフタと、貯水池の下部内側に取り付けられ開閉可能なフタ２と貯水池の上方に取り付けられたカゴ付き滑車６、７と、貯水池の側面上部に取り付けられたベルトコンベアー８とを設ける。さらに該ベルトコンベアー８に連結し貯水池の側面を通おってフタ及びフタ２にいたる管と、その管の途中に取り付けられたバネと、水の中を浮上する球形物体３を備えて発電装置を形成する。【選択図】図１
0003170989.tif 000002
【実用新案登録請求の範囲】
【請求項１】
イ、貯水池２ａに取り付けた蓋。
ロ、貯水池の下の部分の１ａに取り付けた蓋
ハ、図２、の円柱体物体と多角体物体
ニ、円柱体物通る管２Ｂ
ホ、物体接続して物体浮上させる構成
【請求項２】
骨車、エレベーター式、ツルベ式、ジャッキ式機工で物体揚げて落下させる方法
【考案の詳細な説明】
【技術分野】
【０００１】この考案は、浮力で物体を高く揚上げて落下する時にも発電に用いるに関するものである。
【背景技術】
【０００２】従来回転体浮上軸支構造があったがパワー不足であった。
【先行技術文献】
【特許文献】
【０００３】
【特許文献１】特願２００９−１８９７４９（Ｐ２００９−１８９７４９）
【考案の概要】
【考案が解決しようとする課題】
【０００４】本案はそのパワー不足を解決しクリーンなエネルギーを提供するために解決しようとするものである。安価で地球やさいエネルギーを、
【課題を解決するための手段】
【０００５】いまその構成を説明すると
１は蓋を設ける、貯水池の水を留めたり、出したりするため、
２は蓋を設ける、貯水池の水を留めたり、出したりするため、
３は物体球形が良い
４は水が出入りする部分を設ける
５は貯水池の水
６はカゴを設ける  ７は滑車、８はコンベアー、を設ける
９は管を設ける  １０はバネの上の鉄板を設ける
１１はバネを設ける、１２は第２貯水池を設ける
１３は水を流入させる管を設ける
１４は弁を設ける  １５は発電気、１６は管を設ける
１７は第３貯水池  １８はポンプ
１９は管、貯水池に水を送る管を設ける【０００６】また、解決手段は図を追って
１の蓋開いて排水した後、３の物体入って４のところに次に１の蓋閉める次に２の蓋開かせ物体が貯水池の上部に浮上する、それをカゴ付き滑車でベルトコンベ８に落してさらに９の管通って１０の鉄板の上に落下してバネの上だから１２の第二貯水池に圧力をかけ管を通して弁をタービン回す、そして発電する。物体は１６管を通り以上の説明を繰り返す、１７、第３貯水池は４から排水されたのは１８を通うして貯水池に戻す、【０００７】
0003170989.tif 000003
進入して接続させるため、２Ｂは円柱物体
３Ｂはバネ  ４Ｂは鉄板、５Ｂは円柱物体通る管
0003170989.tif 000004
【０００８】また図を追って解決手段は
６Ｂを通して８Ｂが７Ｂに円柱物体揚装置
0003170989.tif 000005
７Ｂと８Ｂ接続して浮上させ  のちは図１と同じ構成である。
【考案の効果】
【０００９】だからパワーが弱く使用出来ずそれでパワー強くクリーンで安全なエネルギーを開発出来る。
【図面の簡単な説明】
【００１０】
【図１】正面切断面図
【図２】斜祖図
【図３】正面切断面図
【図４】部分正面断面図
【考案実施の形態】
【００１１】１は蓋で２も蓋でコンプレッサーなどで開閉する  ３は球形物体  ４は水が出、入りする、球形物体も出、入りする。
５は貯水池の水  ６はカゴである
７は骨車である  ８はコンベアーである
９は管である  １０はバネの上に鉄板を設ける  １１はバネを設ける
１２は第２貯水池を設ける
１３は水を流入させる管を設ける
１４は弁を設ける  １５は発電気
１６は管を設ける  １７は第３貯水池である
１８はポンプである  １９は管、貯水池に水を通すため貯水池の水圧を減圧して物体を浮上させて滑車で揚げて落下させてエネルギーを得る方法。
図２において
１Ｂはとっきを設ける  ２Ｂは円柱物体を設る
３Ｂはバネ  ４Ｂは鉄板を設ける
５Ｂは円柱物体通る管である
６Ｂはベルトコンベアーと円柱物体揚げ装置
0003170989.tif 000006
【実施例】
【００１２】球形物体の浮上を実施して見たなら、貯水池の上部で止まることが分かった、それで滑車を使ってコンベアーに落とさないと循環しない。
球形物高位置なほどパワーが出る。
【符号の説明】
【００１３】１  フタ
２  フタ
３  球形物体
４  物体、水移動室
５  貯水池の水
６、カゴ
７、滑車
８、コンベア
９、落下管
１０、鉄板
１１、バネ
１２、第２貯水池
１３、水流入管
１４、弁
１５  発電気
１６、貯水池下部落下管
１７、第３貯水池
１８、ポンプ
１９、送水管
１Ｂ、とっき
２Ｂ、円柱物体
３Ｂ、バネ
４Ｂ、鉄板
５Ｂ、円柱物体通る管
６Ｂ、ベルトコンベアーと円柱物体揚け装置
７Ｂ、円柱物体
0003170989.tif 000007
【図１】
0003170989.tif 000008
【図２】
0003170989.tif 000009
【図３】
0003170989.tif 000010
【図４】
0003170989.tif 000011
【手続補正書】
【提出日】平成23年7月21日(2011.7.21)
【手続補正２】
【補正対象書類名】実用新案登録請求の範囲
【補正対象項目名】全文
【補正方法】変更
【補正の内容】
【実用新案登録請求の範囲】
【請求項１】
貯水池と前記貯水池の下部外側取り付けられ開閉可能なフタ１と貯水池の下部内側に取り付けられ開閉可能なフタ２と貯水池の上方に取り付けられたカゴ付き滑車と貯水池の、側面上部に取り付けられたベルトコンベアーとそれに連結し貯水池の側面を通おってフタ１及びフタ２にいたる管とその管の途中に取り付けられたバネと水の中を浮上する球形物体を備えた発電装置。
(57)【要約】      （修正有）【課題】人の手で摘み取っていた岩海苔を、ポンプに海苔摘み取り吸込み管をつけ岩海苔を摘み取ることを可能にする海苔摘み取り機を提供する。【解決手段】スクリューハネ４とカッター２を一体にし、これを支える軸受３がスクリューハネとカッターの間にあり、スクリューハネとカッター間の軸の間隔は支える軸受の幅より広く形成する。海苔をカットするときは、カッターと軸受が水圧により密着しているが、小石などを挟んだときは適度に広がることでカッターの回転を止めない構造を設けた吸込み管と、取り込まれた海苔と小石などを分離する濾過管６に接続されたポンプ８を備えて海苔摘み取り機を構成する。【選択図】図１
0003170984.tif 000002
【実用新案登録請求の範囲】
【請求項１】
スクリューハネとカッターを一体にし、カッターを外側に設けることとスクリューハネと軸受の間に隙間を設け、小石なども取り込めるようにした吸込み管。
【請求項２】
水流を緩やかにするために吸込み管と濾過器のある濾過管は、その径や長さを変える。
【請求項３】
海苔の引っ掛かりを無くするために、濾過器の溝は、末端まで溝を開けたままで、さらにポンプを停止させる小石などを通過させない溝とした濾過器。
【考案の詳細な説明】
【技術分野】
【０００１】  本考案は、岩海苔を摘み取るためのものである。
【背景技術】
【０００２】  岩海苔は、砂や小石があり、ポンプによる摘みとりは、目詰まりなどがあり、これまでは、手で摘み取っていた。
【考案の概要】
【０００３】  ポンプを使い、岩海苔を摘み取ることにより、短時間労働を実現する。
【考案が解決しようとする課題】
【０００４】  自然の岩海苔は、砂や小石があり、ポンプで吸わせると、海苔・砂・小石などで目詰まりを起こしたり、小石などによりポンプが停止したりする。これを防止することにより、従来の手で摘み取っていたのを、ポンプによる摘み取りを可能にするものである。
【課題を解決するための手段】
【０００５】  海苔・砂・小石などを一緒に取り込むことで目詰まりを防ぎ、濾過管で小石を分離してポンプの停止を防ぐ。
【考案の効果】
【０００６】  手で摘み取ると、多くの時間を要しその作業は過酷なものであり、必要量を取るために、何日も海に通っていたが、ポンプによる摘み取りは、短時間で摘み取ることを可能にした。
【図面の簡単な説明】
【０００７】
【図１】本考案の海苔摘み取りの実施例を示す立面図である
【図２】本考案の海苔摘み取りの実施例を示す側面図である
【図３】本考案の主要部の斜視図である
【０００８】  岩場から海苔・砂・小石などを取込み、濾過器で海苔を通過させてポンプを停止させる小石などを取り除き、ポンプをえて、海苔籠に海苔を取り込む。
【実施例】
【０００９】  以下、添付図面に従って１実施例を説明する。１は、２の保護と開口部を広く取ることにより、海苔や小石のつまりを防ぎます。２と４は一体もので４に水流を受けて２に回転を伝え、さらに２を３に密着させることで２と３で海苔を切断する。２は、その回転で小石などを外にはじき出し、３と４の隙間は、小石などを挟んだときに水圧によって密着していた２と３の隙間を適度に広げ回転を止めることなく吸込みを容易にする。また水流を止めると２と３に隙間ができ、付着したものも容易に除去できる。５は、水流を緩やかにして６に小石などが付着するのを減少させ。６は、海苔の引っ掛かるのを無くし海苔の通過を容易にするために、末端まで溝を開けたままで、ポンプを停止させる小石などを通過させない３ｍｍ程度の溝とした。水流をとめると５の砂や小石が、１より海洋へ除去できるようにした。６において、小石などが詰まり、除去が必要なときには、７を取り外し、除去を容易にした。
【符号の説明】１  取込み口２  カッター３  軸受４  スクリューハネ５  暖流部６  濾過器７  蓋８  ポンプ９  海苔籠
【図１】
0003170984.tif 000003
【図２】
0003170984.tif 000004
【図３】
0003170984.tif 000005
【手続補正書】
【提出日】平成23年7月20日(2011.7.20)
【手続補正１】
【補正対象書類名】実用新案登録請求の範囲
【補正対象項目名】全文
【補正方法】変更
【補正の内容】
【実用新案登録請求の範囲】
【請求項１】
スクリューハネとカッターを一体にし、これを支える軸受がスクリューハネとカッターの間にあり、スクリューハネとカッター間の軸の間隔は支える軸受の幅より広くなっており、海苔をカットするときはカッターと軸受が、水圧により密着しているが、小石などを挟んだときは適度に広がることでカッターの回転を止めない構造を設けた吸込み管と、取り込まれた海苔と小石などを分離する濾過管に接続されたポンプを備えたことを特徴とする海苔摘み取り機
【請求項２】
取り込んだ海苔とポンプを詰まらせる小石などを分離させる為に、吸込み管と濾過器のある濾過管は、その径や長さを変えることで水流を緩やかにして小石などが濾過器にいくのを減少させ、濾過器においては、海苔による詰まりを防ぐ為に、通過する溝を末端まで閉じないことを特徴とする、請求項１記載の海苔摘み取り機
(57)【要約】      （修正有）【課題】ムーブメントの裏側を見ることができる腕時計を提供する。【解決手段】裏側に透明な保持部２を設け、鏡１を付ける。裏側に鏡を付けているので、ムーブメントの裏側を見るために腕時計を腕から外して、ひっくり返さなくても容易に鏡でムーブメントの裏側を見ることができる。ムーブメントの裏側を見るために腕時計を腕から外すストレスを感じることがない。【選択図】図１
0003170987.tif 000002
【実用新案登録請求の範囲】
【請求項１】
裏側に保持部を設け、鏡を付けた時計。
【考案の詳細な説明】
【技術分野】
【０００１】本考案は、裏側に鏡を付けた時計に関するものである。
【背景技術】
【０００２】従来、裏側に鏡を付けた時計はなかった。
【考案の開示】
【考案が解決しようとする課題】
【０００３】  従来は次のような欠点があった。
従来の裏蓋が透明な材料で作られている腕時計は、ムーブメントの裏側を見るためには腕時計を腕から外して、ひっくり返さなければムーブメントの裏側を見ることができなかった。
また、従来の裏蓋が透明な材料で作られている懐中時計は、ひっくり返さなければムーブメントの裏側を見ることができなかった。
また、従来の裏蓋が透明な材料で作られている置き時計や壁掛け時計は、ムーブメントの裏側を見るためには裏側を見えるように向きを変えなければムーブメントの裏側を見ることができなかった。
本考案は、上記の欠点を除くためになされたものである。
【課題を解決するための手段】
【０００４】  裏側に保持部を設け、鏡を付ける。
本考案は、以上のような構成により問題点を解決している。
【考案の効果】
【０００５】  裏側に鏡を付けているので、ムーブメントの裏側を見るために腕時計を腕から外して、ひっくり返さなくても容易に鏡でムーブメントの裏側を見ることができる。
ムーブメントの裏側を見るために腕時計を腕から外すストレスを感じることがない。
裏側に鏡を付けているので、ムーブメントの裏側を見るために懐中時計をひっくり返さなくてもよい。
裏側に鏡を付けているので、ムーブメントの裏側を見るために置き時計や壁掛け時計の向きを変えなくてもよい。
【考案を実施するための最良の形態】
【０００６】  裏側に保持部を設け、鏡を付ける。
【実施例】
【０００７】  以下、本考案の実施例について説明する。
裏側に保持部２を設け、鏡１を付ける。
鏡１はムーブメントの裏側を見るためのものである。
図２にあるように鏡１がムーブメントの裏側に付けられている。
鏡１は板状鏡、凹面鏡、凸面鏡、マジックミラーにすることにより、多種多様にすることができる。
鏡１の種類、形状、位置、材質、数、大きさをいろいろにすることにより、多種多様にすることができる。
保持部２はムーブメントの裏側が鏡に映り、見やすい距離に鏡１を保持するために設けるものである。
保持部２を透明な材質や、形状、位置、材質、数、大きさをいろいろにすることにより、多種多様にすることができる。
鏡１と保持部２を多種多様にすることにより、腕時計や懐中時計、置き時計や壁掛け時計、いろいろな時計に対応できる。
図１、図２の保持部２は透明な材質である。
【図面の簡単な説明】
【０００８】
【図１】本考案の斜視図である。
【図２】本考案の側面の断面図である。各図の各部において主要部以外は省略している。各図の各部において波線以外の部分は省略している。
【符号の説明】
【０００９】１    鏡
２    保持部
３    ムーブメント
４    鏡に映ったムーブメントの裏側
５    切り欠いたケース
６    バンド
７    風防
８    指針
９    リュウズ
【図１】
0003170987.tif 000003
【図２】
0003170987.tif 000004
【手続補正書】
【提出日】平成23年7月20日(2011.7.20)
【手続補正１】
【補正対象書類名】実用新案登録請求の範囲
【補正対象項目名】全文
【補正方法】変更
【補正の内容】
【実用新案登録請求の範囲】
【請求項１】
裏側に保持部を設け、前記保持部に接続した切り欠いたケースに鏡を付けた時計。
(57)【要約】      （修正有）【課題】配管作業に於いて、配管支持部に、管をＵ字ボルトで固定するときに、その固定強度を増加させて配管構造の変形を防ぐ配管支持の補強材を提供する。【解決手段】従来の工法６の様に、配管支持材５に管４をＵ字ボルト２を使用して固定するとき、本補強材１を取り付けることにより、座金の効果でＵ字ボルトのナット３の締め付けトルクを増加させる事が出来ると共に管を受けるための切り込みには管を挟み付ける力が生じて管固定強度を増加させる事が出来る。【選択図】図２
0003170986.tif 000002
【実用新案登録請求の範囲】
【請求項１】
Ｌ形材の片面に、管４を受けるための切り込みを設け、他の片面にＵ字ボルト２を通過させる穴を設けて、配管支持材５に、Ｕ字ボルト２を使用して、管４を固定するときに使用できる様な形状にした配管材料。
【考案の詳細な説明】
【技術分野】
【０００１】  本考案は配管作業において、Ｕ字ボルトを使用して管を固定するときの補強材である。
【技術背景】
【０００２】  従来からの工法として、山形鋼などの配管支持材にＵ字ボルトを使って管を固定しようとする場合、配管支持材に変形の恐れがある場合はＵ字ボルトを十分な強さで締め付ける事ができない。またこの工法における配管支持材と管との接触面積は少ない。以上の理由によりこの工法による配管支持部の管固定強度には限界がある。従って自重や外力による配管組立構造の変形や、またその事による配管破損、漏れ事故等を起こす難点がみられる。
【先行技術文献】
【特許文献】
【０００３】
【考案の概要】
【考案が解決しようとする課題】
【０００４】  本考案は、本考案を用いる事によりＵ字ボルトによる管の締め付け固定強度を増して、配管組立構造の変形を防ごうとするものである。
【課題を解決するための手段】
【０００５】  管を配管支持材にＵ字ボルトで固定しようとするときに、座金のような使い方で本考案を挟み込み、ナットを取り付けて締め付けると、座金の効果に依って配管支持材の変形を防ぐため従来よりも大きいトルクでナットを締め付けることが出来る。
又  本考案の持つ、管を受けるための切り込みには  管を挟み付ける力が生じる。
以上のような効果で管の締め付け固定強度を増す事ができる。
【考案の効果】
【０００６】  本考案を使用して配管支持部の強度を増す事が出来れば、配管組立構造の変形に依る配管破損、漏れ事故を防ぐことができる。とくに近年多く使用されている配管指示用穴付きアングルの強度不足を補うための補助材として効果的である。
【考案を実施するための形態】
【０００７】  以下、本考案の補強材１を、図面に示す使用例に基ずいて具体的に説明する。
【０００８】  図２は使用例であり、管４を配管支持材５にＵ字ボルト２を使用して固定するときに図のように、本考案である補強材１を取り付け、Ｕ字ボルトを締める。
【図面の簡単な説明】
【０００９】
【図１】本考案  及び本考案を使用するときの各部材である。
【図２】本考案の使用例である。
【符号の説明】
【００１０】１・・・・・・  本考案である補強材
２・・・・・・  Ｕ字ボルト
３・・・・・・  ナット
４・・・・・・  管
５・・・・・・  配管支持材
６・・・・・・  従来の工法
【図１】
0003170986.tif 000003
【図２】
0003170986.tif 000004
【手続補正書】
【提出日】平成23年7月20日(2011.7.20)
【手続補正１】
【補正対象書類名】実用新案登録請求の範囲
【補正対象項目名】全文
【補正方法】変更
【補正の内容】
【実用新案登録請求の範囲】
【請求項１】
Ｌ形材の片面に、管４を受けるための切り込みを設け、他の片面にＵ字ボルト２を通過させる穴を設けた、配管支持の補強材。